(57)【要約】【課題】空気調和機において、部屋内に居る人の快適性を阻害することなく、室内のダストを効率良く捕集し、ダストの濃度を短時間で減少させること。【解決手段】空気調和機１は、上部に空気吸込み口２７を有すると共に下部に空気吹出し口２８を有し、空気吸込み口２７の少なくとも一部を開閉するように可動パネル２５１を設けら、空気吹出し口２８に上下風向板２９１を設け、送風ファン３１１の吸込み側に室内熱交換器３３設け、空気吸込み口２７と室内熱交換器３３との間に電気集塵空清ユニット４０を設けている。この空気調和機１は、冷房運転時または暖房運転時に可動パネル２５１を開くように制御すると共に、空気清浄運転時に、可動パネル２５１を閉じ、電気集塵空清ユニット４０を運転し、上下風向板２９１が水平より上向き又は最大限の上向き角度となるように制御する制御装置を備える。【選択図】図１３
2007132610.tif 000002
【特許請求の範囲】
【請求項１】
上部に空気吸込み口を有すると共に下部に空気吹出し口を有する筐体と、
前記空気吸込み口の少なくとも一部を開閉するように設けられた可動パネルと、
前記空気吹出し口に上下に回動可能に設けられた上下風向板と、
室内空気を前記空気吸込み口から吸込んで前記吹出し口から吹出すように前記筐体内に設置された送風ファンと、
前記送風ファンを駆動する送風モータと、
前記送風ファンの吸込み側に設けられた室内熱交換器と、
前記空気吸込み口と前記室内熱交換器との間に設けられた電気集塵空清ユニットとを備える、空気調和機であって、
冷房運転時または暖房運転時に前記可動パネルを開くように制御すると共に、空気清浄運転時に、前記可動パネルを閉じ、電気集塵空清ユニットを運転し、前記上下風向板が水平より上向き又は最大限の上向き角度となるように制御する制御装置を備えること、
を特徴とする空気調和機。
【請求項２】
請求項１に記載の空気調和機において、前記空気吸込み口は、前記筐体の前面に設けられた前面吸込み口と、前記筐体の上面に設けられた上面吸込み口とからなり、前記可動パネルは前記前面吸込み口を開閉するように設けられ、前記室内熱交換器は前記送風ファンの上方及び前方を囲むように逆Ｖ字状に設置され、前記電気集塵空清ユニットは、誘電体フィルターを有すると共に、前記可動パネルを閉じた状態で前記上面吸込み口に対向するように前記筐体内上部に斜めに設置されていること、を特徴とする空気調和機。
【請求項３】
請求項１または２に記載の空気調和機において、外気の吸入が可能な換気装置と、その外気の吸入経路に設けた空清フィルターとを備え、前記制御装置は、空気清浄運転時に、前記可動パネルを閉じ、電気集塵空清ユニットを運転し、前記上下風向板が水平より上向き又は最大限の上向き角度となるように制御すると共に、前記換気装置による給気も行うように制御する機能を備えていること、を特徴とする空気調和機。
【請求項４】
請求項３に記載の空気調和機において、空気中に浮遊するダストを識別できるダストセンサーを備え、前記制御装置は、空気清浄運転時に、前記ダストセンサーが特定グループのダストを検知した場合、前記可動パネルを閉じ、電気集塵空清ユニットを運転し、前記上下風向板が水平より上向き又は最大限の上向き角度となるように制御すると共に、前記換気装置による給気も行うように制御する機能を備えていること、を特徴とする空気調和機。
【請求項５】
請求項１に記載の空気調和機において、室内空気の排出が可能な換気装置を備え、前記制御装置は、空気清浄運転時に、前記可動パネルを閉じ、電気集塵空清ユニットを運転し、前記上下風向板が水平より上向き又は最大限の上向き角度となるように制御すると共に、前記換気装置による排気も行うように制御する機能を備えていること、を特徴とする空気調和機。
【請求項６】
請求項３または４に記載の空気調和機において、室内の人の存在を検出する人検知センサーを備え、前記制御装置は、空気清浄運転時に、前記人検知センサーの検知で人が検知されない場合に、前記可動パネルを閉じ、電気集塵空清ユニットを運転し、前記上下風向板が水平より上向き又は最大限の上向き角度となるように制御すると共に、前記換気装置による給気も行うように制御すること、を特徴とする空気調和機。
【請求項７】
上部に空気吸込み口有すると共に下部に空気吹出し口を有する筐体と、
前記空気吸込み口の少なくとも一部を開閉するように設けられた可動パネルと、
前記空気吹出し口に回動可能に設けられた上下風向板と、
前記空気吸込み口から室内空気を吸込んで前記吹出し口から室内へ吹出すように設けた送風ファンと、
前記送風ファンを駆動する送風モータと、
前記送風ファンの吸込み側に設けられた室内熱交換器と、
前記空気吸込み口と前記熱交換器との間に設けられた電気集塵空清ユニットと、
室内の人の存在を検出する人検知センサーとを備える、空気調和機であって、
冷房運転時または暖房運転時に前記可動パネルを開くように制御すると共に、空気清浄運転時に、前記可動パネルを閉じ、電気集塵空清ユニットを運転し、前記人検知センサーの検知で人が検知されない場合、前記上下風向板が下向きまたは揺動となるように制御する制御装置を備えること、
を特徴とする空気調和機。
【請求項８】
請求項７に記載の空気調和機において、前記制御装置は、空気清浄運転時に、前記可動パネルを閉じ、前記人検知センサーの検知で人が検知されない場合に、前記上下風向板を下向きまたは揺動にすると共に前記送風モータの回転数を最大にするように制御する機能を備えていること、を特徴とする空気調和機。
【請求項９】
請求項８に記載の空気調和機において、前記吹出し口に左右に回動可能な左右風向板を備え、前記制御装置は、空気清浄運転時に、前記可動パネルを閉じ、前記人検知センサーの検知で人が検知されない場合に、前記左右風向板が揺動となるように制御する機能を備えていること、を特徴とする空気調和機。
【発明の詳細な説明】
【技術分野】
【０００１】
本発明は、空気調和機に係り、特に電気集塵空清ユニットを備えた空気調和機に好適なものである。
【背景技術】
【０００２】
近年、杉花粉の大量飛散に伴い花粉症にかかる人が増えている。花粉症は花粉をアレルゲンとしたアレルギー反応によって引き起こされ、くしゃみ、鼻水、目のかゆみなどの症状を現す。花粉症のアレルゲンとしては第一に杉花粉が挙げられるが、この他にも、杉花粉と性状が似ている檜の花粉も挙げられていて、花粉の飛ぶ時期が違うため、花粉症の要注意期間が長くなっている。
【０００３】
また、花粉以外にも室内には生活に伴うハウスダスト、煙草の煙、室内でのペットの飼育や冷暖房機器の普及に伴う室内環境の通年快適化によりダニの繁殖が進むことによる有害微細動物の増加などで、室内の空気が汚染され、これらも、アレルゲンの一つとして喘息の発作を引き起こしたり、他のアレルギー反応の発作を助長したりしている。
【０００４】
さらに、室内で発生するダスト以外にも、例えば、黄砂、強風による砂塵、噴火などによる火山灰、自動車の排ガス、工場排気ガス、排煙等、これらの室外で発生したダストが自然換気、人為的換気、機械的換気、または、人の衣服への付着などにより室内に入り込み、室内の人を不快にさせると共に、他のアレルギー反応の発作も助長している。
【０００５】
このような、室内環境を改善するため、従来、室内空気を必要な時に、速やかに清浄にする種々の工夫がなされている。この種の従来技術として、特開２００２−６１９１６号公報（特許文献１）、実開平５−９３５６２号公報（特許文献２）が知られている。
【０００６】
特許文献１の空気調和機は、本体の前面上部および上面に吸込み口を設け、前面下部に吹出口を設け、前記吸込み口と前記吹出口とを結ぶ空気通路に熱交換器と送風ファンとを設け、前記吸込み口に、同吸込み口を夫々開閉する複数の吸込ルーバーを設け、同吸込ルーバーに駆動装置を連係し、前記吸込み口と前記吹出口とを結ぶ空気通路に熱交換器と送風ファンとを設け、前記前面上部の吸込み口の風下側に電気集塵器を設ける一方、前記上面の吸込み口の風下側に脱臭フィルターを設けて構成されている。
【０００７】
そして、冷房・暖房運転時に、前記電気集塵器および前記脱臭フィルターを通風させる際、前記駆動装置を連係した前記吸込ルーバーにより前記前面上部および上面の吸込み口を夫々開放するようにしている。また、電気集塵優先の運転を行う際、前記駆動装置を連係した前記吸込ルーバーにより前記前面上部の吸込み口を開放する一方、前記上面の吸込み口を閉塞するようにしている。さらには、脱臭優先の運転を行う際、前記駆動装置を連係した前記吸込ルーバーにより前記前面上部の吸込み口を閉塞する一方、前記上面の吸込み口を開放するようにしている。
【０００８】
また、特許文献２の空気清浄機は、人感センサーが人の存在を検知した時に、その検知した方向には風が行かないようにルーバー制御モータでルーバーを制御する空気清浄機について述べている。
【０００９】
【特許文献１】特開２００２−６１９１６号公報
【特許文献２】実開平５−９３５６２号公報
【発明の開示】
【発明が解決しようとする課題】
【００１０】
しかし、特許文献１の空気調和機では、電気集塵運転時に吹出し口の上下風向板を適切に制御することについては配慮されていない。すなわち、電気集塵を必要とする場合には、部屋内に居る人の快適性を阻害することなく、部屋の中に浮遊する花粉などのダストを部屋全体から効率よく迅速に除去すること、自然換気により部屋の中へ進入する花粉などのダストを床面に沈降する前に除去することが望まれるが、特許文献１にはこれらに適切に対処するように上下風向板を制御することが開示されていない。また、部屋に人が居ない場合には、床面に沈降した花粉などのダストを舞い上がらせて積極的に除去することが望まれるが、特許文献１にはこれに適切に対処するように制御することが開示されていない。
【００１１】
特許文献２の空気清浄機では、人感センサーを用いて人の居る方向には風が行かないようにすることが開示されているが、集塵能力のアップや、床面に沈降した花粉の除去や、自然換気による室外からの花粉の侵入に付いての言及は無い。
【００１２】
本発明の目的は、部屋内に居る人の快適性を阻害することなく、室内のダストを効率良く捕集し、ダストの濃度を短時間で減少させることができる空気調和機を提供することにある。
【００１３】
本発明の別の目的は、部屋内に居る人の快適性を阻害することなく、部屋に人が居ない場合には床面に沈降した花粉などのダストを積極的に除去できる空気調和機を提供することにある。
【課題を解決するための手段】
【００１４】
前述の目的を達成するための本発明の第１の態様は、上部に空気吸込み口を有すると共に下部に空気吹出し口を有する筐体と、前記空気吸込み口の少なくとも一部を開閉するように設けられた可動パネルと、前記空気吹出し口に上下に回動可能に設けられた上下風向板と、室内空気を前記空気吸込み口から吸込んで前記吹出し口から吹出すように前記筐体内に設置された送風ファンと、前記送風ファンを駆動する送風モータと、前記送風ファンの吸込み側に設けられた室内熱交換器と、前記空気吸込み口と前記室内熱交換器との間に設けられた電気集塵空清ユニットとを備える、空気調和機であって、冷房運転時または暖房運転時に前記可動パネルを開くように制御すると共に、空気清浄運転時に、前記可動パネルを閉じ、電気集塵空清ユニットを運転し、前記上下風向板が水平より上向き又は最大限の上向き角度となるように制御する制御装置を備えることにある。
【００１５】
係る本発明の第１の態様におけるより好ましい具体的構成例は次の通りである。
（１）前記空気吸込み口は、前記筐体の前面に設けられた前面吸込み口と、前記筐体の上面に設けられた上面吸込み口とからなり、前記可動パネルは前記前面吸込み口を開閉するように設けられ、前記室内熱交換器は前記送風ファンの上方及び前方を囲むように逆Ｖ字状に設置され、前記電気集塵空清ユニットは、誘電体フィルターを有すると共に、前記可動パネルを閉じた状態で前記上面吸込み口に対向するように前記筐体内上部に斜めに設置されていること。
（２）外気の吸入が可能な換気装置と、その外気の吸入経路に設けた空清フィルターとを備え、前記制御装置は、空気清浄運転時に、前記可動パネルを閉じ、電気集塵空清ユニットを運転し、前記上下風向板が水平より上向き又は最大限の上向き角度となるように制御すると共に、前記換気装置による給気も行うように制御する機能を備えていること。
（３）空気中に浮遊するダストを識別できるダストセンサーを備え、前記制御装置は、空気清浄運転時に、前記ダストセンサーが特定グループのダストを検知した場合、前記可動パネルを閉じ、電気集塵空清ユニットを運転し、前記上下風向板が水平より上向き又は最大限の上向き角度となるように制御すると共に、前記換気装置による給気も行うように制御する機能を備えていること。
（４）室内空気の排出が可能な換気装置を備え、前記制御装置は、空気清浄運転時に、前記可動パネルを閉じ、電気集塵空清ユニットを運転し、前記上下風向板が水平より上向き又は最大限の上向き角度となるように制御すると共に、前記換気装置による排気も行うように制御する機能を備えていること。
（５）室内の人の存在を検出する人検知センサーを備え、前記制御装置は、空気清浄運転時に、前記人検知センサーの検知で人が検知されない場合に、前記可動パネルを閉じ、電気集塵空清ユニットを運転し、前記上下風向板が水平より上向き又は最大限の上向き角度となるように制御すると共に、前記換気装置による給気も行うように制御すること。
【００１６】
また、本発明の第２の態様は、上部に空気吸込み口有すると共に下部に空気吹出し口を有する筐体と、前記空気吸込み口の少なくとも一部を開閉するように設けられた可動パネルと、前記空気吹出し口に回動可能に設けられた上下風向板と、前記空気吸込み口から室内空気を吸込んで前記吹出し口から室内へ吹出すように設けた送風ファンと、前記送風ファンの吸込み側に設けられた室内熱交換器と、前記空気吸込み口と前記熱交換器との間に設けられた電気集塵空清ユニットと、室内の人の存在を検出する人検知センサーとを備える、空気調和機であって、冷房運転時または暖房運転時に前記可動パネルを開くように制御すると共に、空気清浄運転時に、前記可動パネルを閉じ、電気集塵空清ユニットを運転し、前記人検知センサーの検知で人が検知されない場合、前記上下風向板が下向きまたは揺動となるように制御する制御装置を備えることにある。
【００１７】
係る本発明の第２の態様におけるより好ましい具体的構成例は次の通りである。
（１）前記制御装置は、空気清浄運転時に、前記可動パネルを閉じ、前記人検知センサーの検知で人が検知されない場合に、前記上下風向板を下向きまたは揺動にすると共に前記送風モータの回転数を最大にするように制御する機能を備えていること。
（２）前記吹出し口に左右に回動可能な左右風向板を備え、前記制御装置は、空気清浄運転時に、前記可動パネルを閉じ、前記人検知センサーの検知で人が検知されない場合に、前記左右風向板が揺動となるように制御する機能を備えていること。
【発明の効果】
【００１８】
本発明の第１の態様の空気調和機によれば、部屋内に居る人の快適性を阻害することなく、部屋の中に浮遊する花粉などのダストを部屋全体から効率よく迅速に除去できると共に、部屋の中に自然換気により進入する花粉などのダストを床面に沈降する前に除去できる。
【００１９】
本発明の第２の態様の空気調和機によれば、部屋内に居る人の快適性を阻害することなく、部屋に人が居ない場合には床面に沈降した花粉などのダストを積極的に除去できる。
【発明を実施するための最良の形態】
【００２０】
以下、本発明の空気調和機の一実施例について図を用いて説明する。
【００２１】
まず、空気調和機の全体構成を、図１〜４を用いて説明する。図１は本発明の一実施例の空気調和機の構成を示す斜視図、図２は図１の室内機の化粧パネルを外した内部構成説明図、図３は図２のＡ−Ａ断面図、図４は図１の室内機の可動パネルの開閉を説明する斜視図である。
【００２２】
空気調和機１は、室内機２と室外機６とを接続配管８でつなぎ、室内を空気調和するように構成されている。室内機２は、上部に空気吸込み口２７を有すると共に下部に空気吹出し口２８を有する筐体２１と、空気吸込み口２７の少なくとも一部を開閉するように設けられた可動パネル２５１と、空気吹出し口２８に上下に回動可能に設けられた上下風向板２９１と、空気吹出し口２８に左右に回動可能に設けられた左右風向板２９２と、室内空気を空気吸込み口２７から吸込んで吹出し口から吹出すように筐体２１内に設置された送風装置３１と、送風装置３１を駆動する送風モータ３１３と、送風装置３１の吸込み側に設けられた室内熱交換器３３と、空気吸込み口２７と室内熱交換器３３との間に設けられた電気集塵空清ユニット４０とを備える。
【００２３】
室内機２は、筐体２１に室内熱交換器３３、送風ファン３１１、露受皿３５等を取付け、化粧枠２３で覆い、化粧枠２３の前面に前面パネル２５を取付けた構成になっている。化粧枠２３には、室内空気を吸い込む空気吸込み口２７と、温湿度が調和された空気を吹出す空気吹出し口２９とが上下に設けられている。
【００２４】
また、前面パネル２５の中央下部には運転状況を表示する表示部３９７と、別体のリモコン５からの赤外線の操作信号を受ける受光部３９６が配置されている。
【００２５】
筐体２１には、送風ファン３１１、フィルター２３１、室内熱交換器３３、露受皿３５、上下風向板２９１、左右風向板２９５等の基本的な内部構造体が取付けられている。そして、筐体２１の内側に取付けられた送風ファン３１１等の基本的な内部構造体は、化粧枠２３を取付けることにより室内機２内に包含される。化粧枠２３は、上部両側に取付リブを形成し、該取付リブを筐体２１の前部に引っ掻けて、下部をネジ等により筐体２１に取付ける。
【００２６】
化粧枠２３の下面に形成される空気吹出し口２９は、前面パネル２５との分割部に隣接して配置され、奥の吹出し風路２９０に連通している。上下風向板２９１は閉鎖状態で吹出し風路２９０をほぼ隠蔽して、室内機２の底面に連続した大きな曲面を形成する。そして、上下風向板２９１は両端部に設けた回動軸を支点にして、リモコン５からの指示に応じて、図示しない駆動モータにより、空気調和機の運転時に所要の角度回動し空気吹出し口２９を開き、その状態を保持する。空気調和機の運転停止時には、空気吹出し口２９を閉じるように制御される。
【００２７】
また、左右風向板２９５は下端部に設けた回動軸を支点にして、図示しない駆動モータにより回動可能に構成され、リモコン５からの指示の応じて回動してその状態を保持し、吹出し空気を左右の所望の方向に吹出させる。なお、リモコン５から指示することにより、空気調和機の運転中に上下風向板２９１、左右風向板２９５を周期的に揺動させ、室内の広範囲に周期的に吹出し空気を送ることもできる。
【００２８】
また、前面パネル２５に取付けられた可動パネル２５１は図示しない駆動モータを回転させることにより、下端部に設けた回動軸を支点として回動可能に構成され、空気調和機の運転時に前側空気吸込部２３０ｂを開き、前側空気吸込部２３０ｂからも室内空気を室内機内に吸引し、空気調和機の停止時には、前側空気吸込部２３０ｂを閉じるように制御される。
【００２９】
そして、本実施例に係る室内機２によれば、停止時は空気吹出し風路２９０と前側空気吸込部２３０ｂを上下風向板２９１と可動パネル２５１で隠蔽してインテリアに調和させている。運転時には上下風向板２９１、左右風向板２９５をリモコン５からの指示に応じて回動させる。これと共に、可動パネル２５１を開いて前側空気吸込部２３０ｂ及び上側空気吸込部２３０ａから室内空気を吸込む。吸込んだ室内空気を内部の室内熱交換器３３で冷風または温風にして前記空気吹出口２９から吹出すことができる。
【００３０】
この空気調和機１を運転する時には、電源（図示せず）に接続してリモコン５を操作し、所望の暖房、除湿、冷房等の運転を行う。
【００３１】
冷房等の運転の場合を図３、図４を用いて説明する。冷房等の運転の場合、送風機３１の前方の部分の室内熱交換器３３に室内空気を通すため、図３の如く、前面パネル２５の一部を構成する可動パネル２５１を回動させて開く。上側空気吸込部２３０ａ及び開いた可動パネル２５１の奥の化粧枠２３の前側空気吸込部２３０ｂを通して室内熱交換器３３に室内空気を流通させる。
【００３２】
室内機２は、内部に図示しない電装品ボックスに制御基板を備え、該制御基板にマイコンが設けられる。該マイコンは図示しない室内温度センサー、室内湿度センサー等の各種のセンサーからの信号を受け、リモコン５からの操作信号を受光部３９６で受けると共に、室内送風機３１、可動パネル駆動モータ、上下風向板駆動モータ、左右風向板駆動モータ等を制御し、且つ、室外機との通信を司るなど、室内機２を統括して制御する。
【００３３】
室内機２は、運転停止状態で、図３に示すように、可動パネル２５１及び上下風向板２９１が閉鎖された状態となっている。この状態で、リモコン５から運転操作の信号がなされると、図示しないマイコンは、リモコン５からの操作信号または自動運転が設定されていれば各種センサーからの情報に基づいて冷房、または暖房等の運転モードを決定する。該決定に基づいて可動パネル２５１及び上下風向板２９１を動作させて、気流の通路を開放状態にする。このとき、空気吸込み口２３０ｂが開放されるが室内からの視線は可動パネル２５１でさえぎられて室内機２の内部までは届かず、インテリアの雰囲気を崩すことは無い。
【００３４】
つまり、マイコンは、図示しない駆動モータを動作させ、上下風向板２９１、左右風向板２９５をリモコン５からの指示に対応した吹出し角度まで回動する。また、マイコンは、前記上下風向板２９１の動作に連動して可動パネル２５１を開く可動パネル駆動モータを動作させる。
【００３５】
次に、マイコンは室内送風機３１を回転させ、上側及び前側の空気吸込部２３０ａ，２３０ｂから室内空気を吸込む。吸込んだ室内空気を室内熱交換器３３で温風または冷風あるいは熱交換しないで上下風向板２９１、左右風向板２９５に沿って空気吹出口２９から吹出させるように制御する。一方、運転を停止する際は、室内送風機３１を停止した後に、可動パネル２５１の駆動モータ及び上下風向板２９１の駆動モータを逆回転させる。このようにすることで開の状態から閉の状態に戻すように制御する。
【００３６】
フィルター２３１は室内熱交換器３３の吸込側を覆うように配置され、吸い込まれた室内空気中に含まれる塵埃を取り除くためのものである。送風ファン３１１は横長の貫流ファンで構成され、室内空気を空気吸込み口２７から吸い込んで空気吹出し口２９から吹出すように室内機２内の中央に配置されている。室内熱交換器３３は送風ファン３１１の吸込側に配置され、送風ファン３１１の上方及び前方を囲むように略逆Ｖ字状に形成されている。
【００３７】
露受皿３５は室内熱交換器３３の前後両側の下端部下方に配置され、冷房運転時や除湿運転時に室内熱交換器３３に発生する凝縮水を受けるために設けられている。受けて集められた凝縮水はドレン配管３７を通して室外に排出される。これらによって、空調される室内空気を流す主風路が形成される。即ち、送風ファン３１１を運転することで、室内空気は空気吸込み口２７から吸い込まれ、フィルター２３１を介し、室内熱交換器３３にて熱交換された後、空気吹出し口２９から室内に吹出される。
【００３８】
換気装置３２は、室内機２内の一側部に配置される。具体的には、換気装置３２は、送風ファン３１１用の送風モータ３１３と反対側部に組み込まれている。換気装置３２は、室内空気を吸い込む換気装置吸込み口３２５を上部に有している。この換気装置吸込み口３２５は、フィルター２３１の下流側に位置し、上側空気吸込部２３０ａから吸い込まれた室内空気がフィルター２３１を介して吸い込まれる。
【００３９】
換気装置３２は、室内空気を室外に排気するとともに新鮮な室外空気を取り込む換気装置給排気口３２７を後部に有している。そして、換気装置給排気口３２７には換気風路３９が接続され、この換気風路３９が室内機２と室外機６を接続する接続配管８と一緒に家屋の配管穴を貫通して室外に引き出され、換気風路３９の先端が外気に開放され、接続配管８は室外機６に接続される。
【００４０】
換気装置３２には給気運転および排気運転の２種類の運転モードと運転停止の状態がある。
【００４１】
また、特に説明しないが、それぞれの運転モードの切り換えは、リモコンの操作部で行うか、室内機２の操作部で行う。また、図示しない制御装置からの指令により、周囲の環境条件や空気調和機の運転経過などに応じて自動的に運転モードを切り換えを行うこともできる。
【００４２】
換気装置３２の運転は室内機２の冷暖房運転と併用して運転することもできれば、換気装置３２単独で運転することもできる。さらに、換気装置３２にタイマーを設けて一定時間運転後、自動的に運転を停止させることも可能である。
【００４３】
換気装置３２は図示しない切換ダンパーを操作することで、換気装置吸込み口３２５から吸込んだ室内空気を換気装置給排気口３２７に吐出して外気に排気する排気運転と、換気装置給排気口３２７から吸込んだ室外空気を換気装置吹出し口３２６に吐出し室内へ吹出して給気する給気運転とを切り換えることができる。
【００４４】
このように、吸込み切換ダンパー３２９−１、吹出し切換ダンパー３２９−２を操作して換気装置３２の運転モードを給気運転または排気運転モードのいずれかに切り換えている。
【００４５】
即ち、給気運転では、吸込み切換ダンパーが第２の側にあって換気装置吸込み口を遮断し給気吸込み風路を開放するので、給気吸込み風路を通して室外空気が吸い込まれる。このとき、吹出し切換ダンパーは第１の側にあるので給気吹出し風路が開放され排気吹出し風路を遮断するので、換気ファン吹出し口へ吹出された室外空気は給気吹出し風路に送風される。
【００４６】
送風された室外空気は換気装置吹出し口３２６から室内機内に吹出される。そして、本実施例の場合、換気ファン３２１によって吸い込まれる室外空気は換気装置給排気口３２７から吸い込まれ、
給気運転の場合、吸込まれた外気は給気経路に設けられた給気プレフィルターと給気空清フィルターを通って室内に吹出す。先ず、給気プレフィルターの表面で空気中に含まれている塵埃を取り除かれた後に、粒径１０μｍ以上の塵埃を９９．９％に近い高効率で捕集することができ、更に、脱臭機能も有する給気空清フィルターを通ることで空気中に含まれている微小な塵埃と臭気を取り除かれ、清浄化されて室内に吹出す。
【００４７】
電気集塵空清ユニット４０は、室内機２の機内を流れる空気流中で、プレフィルター２３１と室内熱交換器３３との間に可動パネル１が閉じられた状態でも上側空気吸込み部２３０ａと対向するように置かれ、枠体内に針状の放電電極、帯状の放電対向電極、ハニカム状の格子をもった誘電体フィルター、網状の接地電極、脱臭フィルターを内蔵している。
【００４８】
誘電体フィルターを使用することによりフィルターに保持できる塵埃の量が増加し、また、フィルターを掃除する時には水洗いをすることで帯電が除去され簡単に塵埃を離脱させることができる。
【００４９】
ダストセンサー１５８は、室内のダストを検知し、その濃度の情報を空気調和機１の制御部に出力する。人検知センサー１５９は、在室者の有無を在室者の発する赤外線、在室者の動き、音声などに起因する情報を制御部に伝え、制御部ではこれらの情報を種々の方法で解析し在室者の有無を判定する。なお、人検知センサー１５９による空気調和機１の制御が不適切になる場合も考えられるので、人検知センサー１５９を有効にするか、無効にするかをリモコン５から指示できるようにする。
【００５０】
次に、このダストセンサー１５８を使用した空気調和機１のダスト除去運転動作について図５、図６、図７〜図９、図１０〜図１２を用いて説明する。図５、図６はリモコン機能の説明図である。図７〜図９はエアコン運転制御要部フローである。図１０〜図１２はダスト除去運転制御要部フローである。
【００５１】
例えば、空気調和機１を設置した室内で、居住者が花粉の気配を感じて花粉除去の必要性を認めた場合、リモコン５を室内機２に向け、花粉ボタン５３ｊを押下する。または、花粉の飛ぶ時期になったらリモコン５から花粉見張り機能の設定を見張選択ボタン５５ｋにより室内機２に指示する。
【００５２】
尚、この花粉見張り機能の設定は１シーズン１回の操作になるので室内機本体の適所に設けても使用者の利便性は余り損なわれず、リモコンの操作が簡便化される。この場合、この花粉見張り機能の解除はシーズンオフまで必要なく、９０日以上の自動解除方式にして、例えば２月末に花粉見張り機能を設定したら６月始めに自動解除されるようにしても良い。
【００５３】
室内機２の制御装置（図示せず）は所定の周期でリモコン５からの信号の有無をステップ１５（以下Ｓ１５の如くステップをＳと略す。）で監視しており、信号が有る場合は、Ｓ２０に進みリモコン５からのデータを読込みＳ２５に進む。Ｓ２５で読込んだデータに空気調和機１の停止指示信号が有る場合は、Ｓ５０に進み各種のフラグをオフし、Ｓ６０で空気調和機１の停止処理を行い、リモコン５からの信号を監視するためＳ１５に戻る。この場合、花粉見張りフラグと汚れ見張りフラグと人センサー無効指示フラグはオフせず、直前の設定のまま維持する。
【００５４】
Ｓ２５で停止信号が無い場合は、Ｓ３０に進みリモコン５からの指示信号に応じて各種の指示フラグをオンまたはオフに設定し、Ｓ４０に進み室内外温度、湿度などの各種センサーからのデータを読込む。Ｓ１５でリモコン５からの信号が無い場合は、直前の運転を継続するため直接Ｓ４０に進み、前述のように各種センサーからのデータを読込む。Ｓ３０での各種指示フラグの設定、及び、Ｓ４０で読み込んだデータを空気調和機運転制御の基データとして記号（Ａ）を介してＳ１００に進み以降の制御を行う。
【００５５】
この場合リモコン５では各種の運転を選択して指示することができるが、その中で空気調和機１の構成上、択一にならざるをえないものがあり、本実施例では花粉見張りと汚れ見張りは同一の換気装置の制御が含まれるため、いずれか一方の指示しかできない。又同様に、自動運転指示、暖房運転指示、除湿運転指示、冷房運転指示、涼快運転指示も同一の冷凍サイクルの制御であるため、この内の何れか一つの指示しかできない。又同様に、給気運転指示、排気運転指示も同一の換気装置の制御であるため、いずれか一方の指示しかできない。又同様に、風速自動指示、風速強指示、風速弱指示、風速微指示、風速静指示も同一の送風機の制御であるため、この内の何れか一つの指示しかできない。
【００５６】
Ｓ１００でリモコン５からの運転指示が自動運転の場合は、Ｓ３０で自動運転指示フラグがオンになっているので、Ｓ１００でこれを判定してＳ１０５に進む。Ｓ１０５で室内外の温湿度条件に応じて空気調和機１の運転種別を選定し、Ｓ１１５で選定種別が暖房の場合はＳ１４５に進む。Ｓ１４５で暖房運転制御を行い、Ｓ１４５の暖房運転制御により演算された風速をＳ１５０で風速フラグに設定し、Ｓ２４５に進み可動パネルフラグを開に設定し、Ｓ２５０、Ｓ２５５で上下風向板２９１、左右風向板２９５をリモコンからの上下風向板指示フラグ、左右風向板指示フラグに従って停止又は揺動させ、Ｓ２７５に進む。
【００５７】
Ｓ１１５で選定種別が暖房で無い場合は、Ｓ１２０に進み選定種別が除湿の場合はＳ１７５に進む。Ｓ１７５で除湿運転制御を行い、Ｓ１７５の除湿運転制御により演算された風速をＳ１８０で風速フラグに設定し、Ｓ２４５に進み、前述と同様な制御をＳ２５０、Ｓ２５５で行いＳ２７５に進む。
【００５８】
Ｓ１２０で選定種別が除湿で無い場合は、Ｓ１２５に進み選定種別が冷房の場合はＳ２０５に進む。Ｓ２０５で冷房運転制御を行い、Ｓ２０５の冷房運転制御により演算された風速をＳ２１０で風速フラグに設定し、Ｓ２４５に進み、前述と同様な制御をＳ２５０、Ｓ２５５で行いＳ２７５に進む。
【００５９】
Ｓ１２５で選定種別が冷房で無い場合は記号（Ｄ）を介してＳ２６０に進む。ここでリモコン５からの指示が空気清浄運転も指示している場合は、Ｓ３０で空気清浄運転指示フラグがオンになっているので、Ｓ２６０でこれを判定してＳ２６５に進む。Ｓ２６５で空気清浄運転制御を行い、Ｓ２６５の空気清浄運転制御により演算された風速をＳ２７０で風速フラグに設定し、Ｓ２７２に進み可動パネルフラグを閉に設定し、前述と同様な制御をＳ２５０、Ｓ２５５で行いＳ２７５に進む。
【００６０】
Ｓ２６０で空気清浄運転指示フラグがオフと判定された場合は、Ｓ２８０に進み風速フラグを停止に設定し、Ｓ２８１に進み可動パネルフラグを閉に設定し、Ｓ２８２、Ｓ２８３で上下風向板、左右風向板を停止し、Ｓ２８５に進み後述するサイクル空清運転フラグをオフに設定し、記号（Ｃ）を介してＳ３３０に進む。
【００６１】
次に、Ｓ１００に戻って、リモコン５からの指示が自動運転以外の場合について述べる。リモコン５からの指示が暖房運転の場合は、Ｓ３０で暖房運転指示フラグがオンになっているので、Ｓ１４０でこれを判定して、Ｓ１４５に進み前述のように制御してＳ２７５に進む。
【００６２】
リモコン５からの指示が除湿運転、冷房運転、涼快運転の場合も同様に、Ｓ１７０、Ｓ２００、Ｓ２３０でこれを判定して、Ｓ１７５、Ｓ２０５、Ｓ２３５に進み前述のように制御してＳ２７５に進む。
【００６３】
ここで涼快運転は冷房運転と除湿運転を組合せた運転であり、室温と室外温から設定温度を自動的に設定し、夏期における操作の簡便性と快適性の維持を目的とした運転である。
【００６４】
次に、リモコン５からの指示が冷凍サイクルの運転を伴わない空気清浄運転を指示している場合は、Ｓ３０で空気清浄運転指示フラグがオン、自動運転指示、暖房運転指示、除湿運転指示、冷房運転指示、涼快運転指示の各フラグがオフになっている。Ｓ１００、Ｓ１４０、Ｓ１７０、Ｓ２００、Ｓ２３０、Ｓ２６０でこれを判定してＳ２６５に進み、前述のようにＳ２７０、Ｓ２７２、Ｓ２５０、Ｓ２５５を経てＳ２７５に進む。
【００６５】
Ｓ２７５で冷凍サイクル運転の制御または空気清浄運転の制御が行われているか否かを表すサイクル空清運転フラグをオンに設定し、記号（Ｂ）を介してＳ３００に進む。
【００６６】
リモコン５からの指示が冷凍サイクルの運転を伴う空気清浄運転を指示している場合は、前述したように、Ｓ１４５、Ｓ１７５、Ｓ２０５、Ｓ２３５の何れかのステップを通りＳ２７５に達する場合がある。この場合、Ｓ２６５を通らないので、リモコン５から指示された空気清浄運転が行われていない。この不具合を解消するため、Ｓ３００、Ｓ３０５でＳ２６０、Ｓ２６５と同様の制御を行い、Ｓ３３０に進む。この場合風速フラグは既にＳ１５０、Ｓ１８０、Ｓ２１０、Ｓ２４０で設定されているので再度設定する必要はない。Ｓ３００で空気清浄運転指示フラグがオフと判定された場合は、直接Ｓ３３０に進む。
【００６７】
次に、リモコン５からの指示に給気運転が含まれている場合は、Ｓ３０で給気運転指示フラグがオンになっているので、Ｓ３３０でこれを判定して、Ｓ３３５に進み給気運転制御を行い、Ｓ３４０で給気運転フラグをオン、Ｓ３４５で排気運転フラグをオフしてＳ３９０に進む。
【００６８】
リモコン５からの指示に排気運転が含まれている場合は、Ｓ３０で排気運転指示フラグがオン、給気運転指示フラグがオフになっているので、Ｓ３３０、Ｓ３６０でこれを判定して、Ｓ３６５に進み排気運転制御を行い、Ｓ３７０で排気運転フラグをオン、Ｓ３７５で給気運転フラグをオフしてＳ３９０に進む。
【００６９】
リモコン５からの指示に給気運転も排気運転も含まれていない場合は、Ｓ３０で給気運転指示フラグ、排気運転指示フラグがともにオフになっているので、これをＳ３３０、Ｓ３６０で判定してＳ３８０に進み、Ｓ３８０で給気運転フラグをオフ、Ｓ３８５で排気運転フラグをオフしてＳ３９０に進む。
【００７０】
このように、電源スイッチは入っているが、冷凍サイクルが停止中で、且つ、ダスト除去運転の時に駆動される電気集塵空清ユニット、送風機、換気装置が停止している状態を空気調和機の停止状態と言い、自動運転の運転条件不成立状態や入りタイマーによる運転待ち状態も含んでいる。
【００７１】
Ｓ３９０は下位プログラムのダスト除去運転制御であり、次に説明するダスト除去運転制御を行う。Ｓ３９０でダスト除去運転制御を行った後、制御は記号（Ｅ）を介してＳ１５に戻り、リモコン５からの指示を監視すると共に、空気調和機１の運転を制御し室内の快適な環境を維持し続ける。
【００７２】
次にダスト除去運転について図１０〜図１２を用いて説明する。ダスト除去運転はリモコン５で花粉見張りまたは汚れみはり機能が設定されていて且つ、室内のダストの濃度が高い時か、リモコン５で花粉ボタン５３ｊが押下された時に行なわれる。リモコン５で花粉ボタン５３ｊが押下されるか花粉見張りまたは汚れみはり機能が設定されると空気調和機運転制御はＳ３０で花粉ボタンフラグ又は／並びに花粉見張りフラグ若しくは汚れ見張りフラグをオンにし、前述したように、種々のステップを通りＳ３９０で下位プログラムであるダスト除去運転制御に進む。この結果、下位プログラムであるダスト除去運転制御がＳ４００で開始する。
【００７３】
先ず、Ｓ４０５で花粉ボタンフラグがオンである場合は、Ｓ５２５に進みダストセンサー１５８からのデータを取込み、記号Ｇを介してＳ５３０に進む。
【００７４】
Ｓ４０５で花粉ボタンフラグがオフの場合は、Ｓ４１０に進み花粉見張りフラグの状態を確認し、花粉見張りフラグがオンの場合は、Ｓ４３０に進み前述と同様の制御を行う。
【００７５】
Ｓ４１０で花粉見張りフラグがオフの場合は、Ｓ４１５に進み汚れ見張りフラグの状態を確認し、汚れ見張りフラグがオンの場合は、Ｓ４３０に進み前述と同様の制御を行う。
【００７６】
Ｓ４１５で汚れ見張りフラグがオフの場合は、Ｓ４１８に進み風速フラグに設定された風速で送風機を運転し、Ｓ４２３に進んで可動パネル２５１を可動パネルフラグの設定（Ｓ２４５、Ｓ２７２、Ｓ２８１）に従って開閉し、Ｓ４２５、Ｓ４２７で上下風向板２９１、左右風向板２９５をリモコン５で指示される上下風向指示フラグ、左右風向指示フラグに従って揺動または、停止し、Ｓ９９０で上位プログラムに戻る。
【００７７】
Ｓ５３０でサイクル空清運転フラグの設定（Ｓ２７５、Ｓ２８５）がオンに設定されている場合は、Ｓ５４０に進み、演算風速フラグＦＳ０を現在の風速フラグと同じに設定し、Ｓ５５０、Ｓ５６０で上下風向板２９１、左右風向板２９５をリモコン５からの指示に従って駆動し、Ｓ６４０で可動パネルフラグの設定（Ｓ２４５、Ｓ２７２、Ｓ２８１）に従って可動パネル２５１を開または、閉にして、記号（Ｋ）を介してＳ８００に進む。
【００７８】
これはダスト除去運転では送風機３１の風速はサイクル運転、空気清浄運転で設定される風速を優先して使用し、室内温度、湿度を安定させ快適性を損なわないようにしているためである。
【００７９】
Ｓ５３０でサイクル空清運転フラグの設定（Ｓ２７５、Ｓ２８５）がオンでない場合は、Ｓ５７０に進み、ダストセンサー１５８から取込んだデータを基にダスト濃度に応じて演算風速フラグを設定しＳ５８０に進む。
【００８０】
Ｓ３０で人センサー無効指示フラグがオフに設定されいて、人検知センサー１５９が有効になっている時に、人検知センサー１５９が在室者を検知した場合は、Ｓ５８０でこれを判定し、Ｓ５９０に進み上下風向板２９１を水平位置に移動しその位置で停止し、Ｓ５６０に進み前述と同様に左右風向板２９５、可動パネル２５１を制御し記号（Ｋ）を介してＳ８００に進む。
【００８１】
これにより、図１３に示す様に空気調和機１からの吹出し気流が略水平方向に吹出されるので在室者の頭上を通って空気調和機１に循環し、在室者に直接当らないので在室者は吹出し気流による不快感を感じることがない。
【００８２】
Ｓ３０で人センサー無効指示フラグがオンに設定されて、人検知センサー１５９が無効になっているか、または、人検知センサー１５９が有効にはなっているけれども、在室者が検知されない場合は、Ｓ６００に進み上下風向板２９１を下向きの位置に移動して、その位置で停止させ、Ｓ６１０で左右風向板２９５を揺動させてＳ６２０に進む。
【００８３】
Ｓ６２０で演算風速フラグが停止モードの場合は、Ｓ５７０でダスト濃度がダスト除去運転開氏の濃度に達していない場合なので、演算風速フラグは停止モードのままＳ６３０に進み、前述のように可動パネル２５１を制御して記号Ｋを介してＳ８００に進む。
【００８４】
Ｓ６２０で演算風速フラグが停止モード以外の場合は、Ｓ６４０に進み、この場合がＳ５７０でダスト濃度がダスト除去運転開始の濃度以上である場合なので演算風速フラグを強モードに変え、Ｓ６３０に進み、前述のように制御し記号Ｋを介してＳ８００に進む。
【００８５】
このように在室者がいない時には図１４に示すように上下風向板２９１を下向きにし、風速を強モードで運転するのでダスト量が多いと言われる床面付近のダストを強モードの吹出し気流で巻き上げ、空気調和機１に循環させて、ダストを捕集し、室内をダストのより少ない状態に清浄化する。
【００８６】
また、図１５に示すように左右風向板２９５を揺動させることで広い範囲の床面近くのダストを巻き上げ捕集できる。この時、上下風向板２９１も揺動させるのも良く、このようにすることで、室内のより広い範囲のダストが巻き上げられ空気調和機１に循環して捕集され、室内の清浄化が促進される。
【００８７】
可動パネルフラグはＳ２４５、Ｓ２７２、Ｓ２８１で設定されるが、冷凍サイクルの運転中は可動パネルフラグは開で、それ以外では閉に設定される。このため、空気清浄運転や換気運転、花粉ボタン、花粉見張り、汚れ見張り運転などの場合は可動パネルフラグは閉になるので、これらの運転の場合は図１３に示すように可動パネル２５１は閉じる。
【００８８】
これにより、前側空気吸込み部２３０ｂが閉じるため、上側空気吸込み部２３０ａを通る室内空気の量が増え、上側空気吸込み部２３０ａに対向して設けられている電気集塵空清ユニット４０を通る室内空気も増加する。このため、電気集塵空清ユニット４０で捕集されるダストの量も増加し、より強力に室内のダストを除去する。以上の動作を要約すると図１６の表に示すようになり、室内のダストを効率良く捕集し、ダストの濃度を短時間で減少させ、室内をいち早くダストの少ない状態に維持すると共に、吹出気流が直接在室者に当らないように制御し、快適な空調を実現することができる。
【００８９】
次に、ダスト除去運転時の換気装置３２と電気集塵空静ユニット４０の運転制御について図１２を用いて説明する。
【００９０】
Ｓ８００で演算風速フラグＦＳ０が停止モードの場合は、Ｓ８０７に進み給気運転指示フラグ及び排気運転指示フラグの状態を確認する。Ｓ８０７で給気運転指示フラグ又は排気運転指示フラグがオンしている場合は、Ｓ８１２に進み電気集塵空静ユニット４０の運転を停止し、Ｓ８１５に進み送風機３１を停止し、Ｓ８２０に進み上下風向板２９１、左右風向板２９５を停止し、Ｓ９９０に進んで上位プログラムに戻る。
【００９１】
Ｓ８０７で給気運転指示フラグ及び排気運転指示フラグがオフしている場合は、Ｓ８１０に進んで換気装置３２を停止し、更にＳ８１２に進み前述と同様の制御を行い、Ｓ９９０に進んで上位プログラムに戻る。
【００９２】
Ｓ８００で演算風速フラグＦＳ０が停止モード以外の場合は、Ｓ９００に進み送風機３１を演算風速フラグに設定されている風速で運転し、Ｓ９１０に進む。Ｓ９１０で給気運転指示フラグ又は排気運転指示フラグがオンしている場合は、Ｓ９８０に進み電気集塵空静ユニット４０を運転し、室内のダストも除去して室内を速やかに清浄な状態に回復を図り、Ｓ９９０に進んで上位プログラムに戻る。
【００９３】
Ｓ９１０で給気運転指示フラグ及び排気運転指示フラグがオフしている場合は、Ｓ９２０に進み花粉ボタンフラグの状態を確認する。Ｓ９２０で花粉ボタンフラグがオンしている場合は、Ｓ９５５に進み給気運転を行い新鮮な外気を吸引し、給気通路に設けられた高性能な給気空清フィルターで花粉などのダストを除去して室内に供給する。更に、Ｓ９８０に進み電気集塵空静ユニット４０を運転し、Ｓ９９０に進んで上位プログラムに戻る。
【００９４】
Ｓ９２０で花粉ボタンフラグがオフしている場合は、Ｓ９５０に進み花粉見張りフラグの状態を確認する。Ｓ９５０で花粉見張りフラグがオンの場合は、Ｓ９５５に進み前述のように制御し、Ｓ９９０に進んで上位プログラムに戻る。
【００９５】
Ｓ９５０で花粉見張りフラグがオフの場合は、Ｓ９７０に進み汚れ見張りフラグの状態を確認する。Ｓ９７０で汚れ見張りフラグがオンの場合は、Ｓ９７５に進み排気運転を行い汚れた室内の空気を室外に排出し、Ｓ９８０に進み前述のように制御し、Ｓ９９０に進んで上位プログラムに戻る。
【００９６】
Ｓ９７０で汚れ見張りフラグがオフの場合は、Ｓ８１０に進み前述のように制御し、Ｓ９９０に進んで上位プログラムに戻る。
【００９７】
以上説明したように本実施例によれば、室内空気を吸込む前面吸込み口及び上面吸込み口と、該前面吸込み口の前面に該前面吸込み口の少なくとも一部を開閉する如く設けられ、電気的に開閉可能な可動パネルと、該上面吸込み口に対向して設けられた誘電体フィルターを有する電気集塵空清ユニットと、該前面吸込み口及び上面吸込み口に対向し、一部が該電気集塵空清ユニットと重設して設けられた室内熱交換器と、下面から前面下部に渡って設けられた空調空気吹出し口と、該吹出し口に設けられ、電気的に回動可能な上下風向板と、該空気吸込み口からの空気をプレフィルター、該電気集塵空清ユニット、該室内熱交換器を貫流して該空気吹出し口に流動させる送風装置と、該送風装置を駆動する送風モータとを備え、該電気集塵空清ユニットを運転する場合に、該可動パネルを閉じると共に、該上下風向板を水平より上向き又は最大限の上向き角度にする。
【００９８】
これにより、室内の除塵運転をする場合は、電気集塵空清ユニットを運転してダストを誘電体フィルターで捕集して除去する。このとき、可動パネルを閉じて運転するので上側吸込み口から電気集塵空清ユニット部を通過する室内空気の量が増加し、その分、ダストの単位時間あたりの捕集量も増加し、室内のダストの濃度が速やかに低下する。また、上下風向板を水平より上向きにするので吹出し口から吹出した空気が直接在室者に当ることがなく、在室者が気流を不快に感ずることもない。また、室内の下部空間に付着したダストを気流で巻き上げることが少なくなり、室内空気中のダストの濃度が急速に減少する。
【００９９】
このため、室内のダストを効率良く捕集し、ダストの濃度を短時間で減少させ、室内をダストの少ない状態にすると共に、吹出気流が直接在室者に当らないように制御し、快適な空調を実現する空気調和機を得ることができる。
【０１００】
また、本実施例によれば、外気の吸入が可能な換気装置と、その外気の吸入経路に設けた空清フィルターと、空気中に浮遊するダストを識別できるダストセンサーとを備え、該ダストセンサーが特定グループのダストを検知した場合に、前記電気集塵空清ユニットの運転と該換気装置の給気運転を行う。
【０１０１】
これにより、屋外で発生したダストが大量に飛散し、自然換気、強制換気を問わず室内空気に必要とされる換気によって室内にも多量の屋外のダストが侵入した時に、これをダストセンサーで検知する。ダストの濃度が所定の濃度以上になった時に、電気集塵空清ユニットを運転してダストを誘電体フィルターで捕集して除去する。このとき、可動パネルを閉じて運転するので上側吸込み口から電気集塵空清ユニット部を通過する室内空気の量が増加し、その分、ダストの単位時間あたりの捕集量も増加し、室内のダストの濃度が速やかに低下する。また、上下風向板を水平より上向きにするので吹出し口から吹出した空気が直接在室者に当ることがなく、在室者が気流を不快に感ずることもない。また、室内の下部空間に付着したダストを気流で巻き上げることが少なくなり、室内空気中のダストの濃度が急速に減少する。さらに、換気装置を給気運転して、外気を導入し、外気の吸入経路に設けた空清フィルターを通すことにより含まれている屋外ダストを除去する。上記換気装置で屋外ダストを除去した外気を給気することで家屋の隙間からの自然換気が抑制され、多量の屋外ダストを含んだ外気が室内に侵入してくるのを防ぐ。
【０１０２】
このため、屋外に花粉などのダストが充満している時に、換気しながらでも、室内のダストを効率良く捕集し、ダストの濃度を短時間で減少させ、室内をダストの少ない状態にすると共に、吹出気流が直接在室者に当らないようにして、快適な空調を実現する空気調和機を得ることができる。
【０１０３】
また、本実施例によれば、室内空気を吸込む前面吸込み口及び上面吸込み口と、該前面吸込み口の前面に該前面吸込み口の少なくとも一部を開閉する如く設けられ、電気的に開閉可能な可動パネルと、該上面吸込み口に対向して設けられた誘電体フィルターを有する電気集塵空清ユニットと、該前面吸込み口及び上面吸込み口に対向し、一部が該電気集塵空清ユニットと重設して設けられた室内熱交換器と、下面から前面下部に渡って設けられた空調空気吹出し口と、該吹出し口に設けられ、電気的に回動可能な上下風向板と、該空気吸込み口からの空気をプレフィルター、該電気集塵空清ユニット、該室内熱交換器を貫流して該空気吹出し口に流動させる送風装置と、該送風装置を駆動する送風モータと、人検知センサーとを備え、該電気集塵空清ユニットを運転する場合に、該可動パネルを閉じると共に、該人検知センサーで人が検知されないときには、前記上下風向板を下向きにする。
【０１０４】
これにより、在室者がいないときに床面に向けて気流を吹出し、特にダストの量が多いと言われる床面付近の空気を巻き上げ、室内下部空間のダストを気流で舞い上がらせ、舞い上がったダストを空気吸込み口から吸込んで電気集塵空清ユニットで捕集し、在室者が居ない内に、室内空気中のダストの量を少なくして入室者を迎え、入室者は入室当初からダストの量が少ない室内環境を満喫できる。
【０１０５】
このため、在室者が居ない時に床面近くのダストを舞い上がらせて捕集し、室内をダストの少ない状態にする空気調和機を得ることができる。
【０１０６】
また、本実施例によれば、前記上下風向板を揺動または下向きにして前記電気集塵空清ユニットを運転をする場合に、送風装置の風量が最も多くなるように送風モータを運転する。
【０１０７】
これにより、在室者がいないときに床面に向けて気流を最大速度で吹出し、特にダストの量が多いと言われる床面付近の空気を強く巻き上げ、室内下部空間のダストを気流で多量に舞い上がらせ、多量に舞い上がったダストを空気吸込み口から吸込んで電気集塵空清ユニットで効率良く捕集し、在室者が居ない内に、室内空気中のダストの量を少なくして入室者を迎え、入室者は入室当初からダストの量が少ない室内環境を満喫できる。
【０１０８】
このため、床面近くのダストを多量に舞い上がらせ、電気集塵空清ユニットで効率良く捕集し、在室者が居ない内に、室内をダストのより少ない状態にする空気調和機を得ることができる。
【０１０９】
また、本実施例によれば、前記吹出し口に設けられ、電気的に回動可能な左右風向板を備え、前記人検知センサーで人が検知されないときには、前記上下風向板を下向きにして運転することに代えて揺動させて運転すること、及び／又は該左右風向板を揺動させる。
【０１１０】
これにより、上下風向板及び／又は左右風向板を揺動させることで、広範囲の床面近くのダストを舞い上がらせ、電気集塵空清ユニットで捕集し、在室者が居ない内に、室内空気中のダストの量を少なくして入室者を迎え、入室者は入室当初からダストの量が少ない室内環境を満喫できる。
【０１１１】
このため、より広範囲の床面近くのダストを舞い上がらせ、電気集塵空清ユニットで効率良く捕集し、室内をダストの少ない状態にする空気調和機を得ることができる。
【図面の簡単な説明】
【０１１２】
【図１】本発明の一実施例の空気調和機の構成を示す斜視図である。
【図２】図１の室内機の化粧パネルを外した内部構成説明図である。
【図３】図２のＡ−Ａ断面図である。
【図４】図１の室内機の可動パネルの開閉を説明する斜視図である。
【図５】図１のリモコンの機能説明図である。
【図６】図１のリモコンの異なる状態の機能説明図である。
【図７】図１の空気調和機の運転の制御フローである。
【図８】図７の制御フローの続きである。
【図９】図８の制御フローの続きである。
【図１０】図９のダスト除去運転の制御フローである。
【図１１】図１０の制御フローの続きである。
【図１２】図１１の制御フローの続きである。
【図１３】図１の室内機の可動パネルを開いた状態の断面図である。
【図１４】図１の室内機の上下風向板の揺動説明図である。
【図１５】図１の室内機の左右風向板の揺動説明図である。
【図１６】空気調和機の運転状態と風向板、可動パネルの位置。
【符号の説明】
【０１１３】
１…空気調和機、２…室内機、５…リモコン、６…室外機、８…接続配管、２１…筐体、２３…化粧枠、２５…前面パネル、２７…空気吸込み口、２９…空気吹出し口、３１…送風装置、３２…換気装置、３３…室内熱交換器、３５…露受皿、３７…ドレン配管、３９…換気風路、４０…電気集塵空清ユニット、５１…液晶表示部、５２…扉、５３…外部操作ボタン、５４…送受信部、５５…内部操作ボタン、５３ｊ…花粉ボタン、５５ｋ…見張選択ボタン、１５８…ダストセンサー、１５９…人検知センサー、２１０…筐体本体、２３０…化粧枠本体、２３１…プレフィルター、２３０ａ…上側空気吸込み部、２３０ｂ…前側空気吸込み部、２５０…前面パネル本体、２５１…可動パネル、２９０…吹出し風路、２９１…上下風向板、２９５…左右風向板、３１１…送風ファン、３１３…送風モータ、３２５…換気装置吸込み口、３２６…換気装置吹出し口、３２７…換気装置給排気口、３９６…受光部、３９７…表示部。
【図１】
2007132610.tif 000003
【図２】
2007132610.tif 000004
【図３】
2007132610.tif 000005
【図４】
2007132610.tif 000006
【図５】
2007132610.tif 000007
【図６】
2007132610.tif 000008
【図７】
2007132610.tif 000009
【図８】
2007132610.tif 000010
【図９】
2007132610.tif 000011
【図１０】
2007132610.tif 000012
【図１１】
2007132610.tif 000013
【図１２】
2007132610.tif 000014
【図１３】
2007132610.tif 000015
【図１４】
2007132610.tif 000016
【図１５】
2007132610.tif 000017
【図１６】
2007132610.tif 000018